(57)【要約】【課題】指タッチ・ペンタッチ何れの入力方法でも、入力作業がスムーズに行なえる技術を提供することである。【解決手段】タッチペン又は指でタッチパネルをタッチすることにより操作が行なわれる情報処理装置１であって、情報処理装置１の装置本体１ａにはタッチペン５のタッチペン装着部６が設けられると共に、タッチペン５の装着・離脱を検出する検出手段８が設けられてなり、情報処理装置１に処理動作を行わせる為に、タッチパネル２の所望箇所をタッチペン５又は指でタッチするに際して、タッチパネル２の所望箇所には入力用標識が表示されるよう構成されており、検出手段８によってタッチペン装着部６にタッチペン５が装着されていないことが検出される場合には表示される入力用標識は小さく、検出手段８によってタッチペン装着部６にタッチペン５が装着されていることが検出される場合には表示される入力用標識は大きなように入力用標識の表示サイズを制御する表示サイズ制御手段９を具備する。【選択図】図２
2008181169.tif 000002
【特許請求の範囲】
【請求項１】
タッチペン又は指でタッチパネルをタッチすることにより操作が行なわれる情報処理装置であって、
前記情報処理装置の装置本体には前記タッチペンのタッチペン装着部が設けられると共に、該タッチペンの装着・離脱を検出する検出手段が設けられてなり、
前記情報処理装置に処理動作を行わせる為に、前記タッチパネルの所望箇所を前記タッチペン又は指でタッチするに際して、該タッチパネルの所望箇所には入力用標識が表示されるよう構成されており、
前記検出手段によって前記タッチペン装着部に前記タッチペンが装着されていないことが検出される場合には前記表示される入力用標識は小さく、前記検出手段によって前記タッチペン装着部に前記タッチペンが装着されていることが検出される場合には前記表示される入力用標識は大きなように入力用標識の表示サイズを制御する表示サイズ制御手段を具備することを特徴とする情報処理装置。
【請求項２】
タッチペン又は指でタッチパネルをタッチすることにより操作が行なわれる情報処理装置であって、
前記情報処理装置の装置本体には前記タッチペンのタッチペン装着部が設けられると共に、該タッチペンの装着・離脱を検出する検出手段が設けられてなり、
前記検出手段は、前記タッチペンの装着時における第１装着状態と第２装着状態とが区別して検出できるよう構成され、
更に、前記情報処理装置に処理動作を行わせる為に、前記タッチパネルの所望箇所を前記タッチペン又は指でタッチするに際して、該タッチパネルの所望箇所には入力用標識が表示されるよう構成されており、
前記検出手段によって前記タッチペン装着部に前記タッチペンが装着されていないことが検出される場合には前記表示される入力用標識は小さく、前記検出手段によって前記タッチペン装着部に前記タッチペンが第１装着状態で装着されていることが検出される場合には前記表示される入力用標識は大きなように入力用標識の表示サイズを制御する表示サイズ制御手段と、
前記検出手段によって前記タッチペン装着部に前記タッチペンが第２装着状態で装着されていることが検出される場合には前記表示される前記入力用標識がタッチされても前記情報処理装置が処理動作しないものとするロック手段
とを具備することを特徴とする情報処理装置。
【請求項３】
タッチペン又は指でタッチパネルをタッチすることにより操作が行なわれる情報処理装置であって、
前記情報処理装置の装置本体には前記タッチペンのタッチペン装着部が設けられると共に、該タッチペンの装着・離脱を検出する検出手段が設けられてなり、
前記検出手段は、前記タッチペンの装着時における第１装着状態と第２装着状態とが区別して検出できるよう構成され、
更に、前記情報処理装置に処理動作を行わせる為に、前記タッチパネルの所望箇所を前記タッチペン又は指でタッチするに際して、該タッチパネルの所望箇所には入力用標識が表示されるよう構成されており、
前記検出手段によって前記タッチペン装着部に前記タッチペンが第２装着状態で装着されていることが検出される場合には前記表示される前記入力用標識がタッチされても前記情報処理装置が処理動作しないものとするロック手段を具備することを特徴とする情報処理装置。
【請求項４】
検出手段はタッチペンに設けられた磁石を検出する磁気センサーであることを特徴とする請求項１〜請求項３いずれかの情報処理装置。
【請求項５】
タッチペンに設けられた磁石を検出する磁気センサーが複数個設けられてなることを特徴とする請求項２〜請求項４いずれかの情報処理装置。
【請求項６】
タッチパネルを具備した情報処理装置における情報処理方法において、
前記情報処理装置のタッチペン装着部に装着されているタッチペンが装着されているか否かを検出する検出工程と、
前記検出工程によって前記タッチペン装着部にタッチペンが装着されていることが検出された場合、前記タッチパネルに表示されている入力用標識のサイズを大に、前記検出工程によって前記タッチペン装着部にタッチペンが装着されていないことが検出された場合、前記タッチパネルに表示されている入力用標識のサイズを標準ないしは小に調整する入力用標識サイズ調整工程
とを具備することを特徴とする情報処理方法。
【請求項７】
タッチパネルを具備した情報処理装置における情報処理方法において、
前記情報処理装置のタッチペン装着部に装着されているタッチペンが装着されているか否かを検出する検出工程と、
前記検出工程によって前記タッチペン装着部にタッチペンが装着されていることが検出された場合、前記タッチパネルに表示されている入力用標識のサイズを大に、前記検出工程によって前記タッチペン装着部にタッチペンが装着されていないことが検出された場合、前記タッチパネルに表示されている入力用標識のサイズを標準ないしは小に調整する入力用標識サイズ調整工程と、
前記検出工程によって前記タッチペン装着部にタッチペンが特定の状態にて装着されていることが検出された場合、前記タッチパネルがタッチされても、前記情報処理装置が処理動作しないものとするロック工程
とを具備することを特徴とする情報処理方法。
【請求項８】
タッチパネルを具備した情報処理装置における情報処理方法において、
前記情報処理装置のタッチペン装着部に装着されているタッチペンが装着されているか否かを検出する検出工程と、
前記検出工程によって前記タッチペン装着部にタッチペンが特定の状態にて装着されていることが検出された場合、前記タッチパネルがタッチされても、前記情報処理装置が処理動作しないものとするロック工程
とを具備することを特徴とする情報処理方法。
【発明の詳細な説明】
【技術分野】
【０００１】
本発明は、特に携帯用の情報処理装置および該装置における情報処理方法に関する。例えば、携帯電話機、ＰＨＳ（Personal Handy phone System）、ＰＤＡ（Personal Data Assistance，Personal
Digital Assistants：個人向け携帯型情報通信機器）、ノート型パソコン、電子辞書等の携帯端末装置、或いはゲーム用の携帯端末装置および該装置における情報処理方法に関する。
【背景技術】
【０００２】
タッチパネル（抵抗膜式）が利用可能な携帯端末装置が広く普及している。この種の携帯端末装置は、その利用形態として、タッチペンでパネルをタッチしてパネルを反応させる方式が一般的である。更に、指でパネルをタッチしてパネルを反応させる方式も提案されている。
【０００３】
例えば、特開昭６０−２００３３２号公報では、面抵抗が一様で矩形状をなし互いに重ねられた二枚の抵抗シートと；それらの中の一枚の抵抗シートの各辺に接続されたダイオード群と；前記二枚の抵抗シートを押下して接触させた時、それらの抵抗シートに直流電流を流し、押下点の座標に対応した出力電圧を得る為の増幅器と、信号処理回路とによって構成された指タッチ用座標検出回路と；前記ダイオード群の接続された抵抗シートに電位勾配を与える為の回路、電気ペーン、及び信号処理回路によって構成されるペンタッチ用座標検出回路と；前記両抵抗シートと両座標検出回路との間を切り替える為の切替スイッチとからなることを特徴とするタブレットが提案されている。
【特許文献１】特開昭６０−２００３３２号公報
【特許文献２】特開平１０−３２００８２号公報
【発明の開示】
【発明が解決しようとする課題】
【０００４】
さて、上記提案の技術の如く、ペンタッチと指タッチとの何れでも入力作業が行なえると、非常に、好都合である。
【０００５】
しかしながら、ペンタッチの場合に用いられるタッチペンは先が細い為、タッチパネル部のＬＣＤに表示された小さなアイコンや、「１」「２」「３」「４」「５」「６」「７」「８」「９」「０」「＊」「＃」等の記号と言った入力用標識をタッチペンでタッチするのに大きな支障は無いものの、タッチペンに比べると先端部が大きな人の指でタッチするには支障の有ることが判って来た。例えば、二つのアイコンが隣接して表示されていると、目的としない方のアイコンを先にタッチしてしまうことも起き易い。或いは、数字や文字などの記号の場合には、隣接して表示されることが宿命であるとさえ言えるから、間違った数字・文字をタッチしてしまう危険が非常に高い。
【０００６】
従って、指タッチを考慮すると、アイコンや記号などの入力用標識のサイズを大きくせざるを得ない。しかしながら、入力用標識のサイズを大きくした場合には、その表示する入力用標識の数を少なくせざるを得ない。特に、装置が携帯用である場合には、タッチパネルは小さいことから、入力用標識の数を少なくせざるを得ない。これでは、非常に不便である。
【０００７】
よって、本発明が解決しようとする第１の課題は、指タッチ・ペンタッチ何れの入力方式でも、入力作業がスムーズに行なえる技術を提供することである。
例えば、携帯電話などの場合には、タッチペンを用いない場合の使用形態が多く、このような場合には、「１」「２」「３」「４」「５」「６」「７」「８」「９」「０」「＊」「＃」等の記号（入力用標識）が大きく表示され、即ち、電話を掛けようとする場合には、タッチペンを用いるまでも無く指タッチでの入力が間違いなく簡単に出来るようにする為、「１」「２」「３」「４」「５」「６」「７」「８」「９」「０」「＊」「＃」等の記号（入力用標識）が大きく表示されるようにし、そうでない場合には、即ち、タッチペンを用いての入力の場合には入力用標識が小さく表示されるようになる技術を提供することである。
【０００８】
又、携帯用端末などは被服のポケットに収納されて持ち歩かれることが多い。このような場合、人体の動作（押したり押されたり）に応じて、時には、タッチパネルが間違って押されることが有る。このような時、携帯用端末が不意に動作し、困ることが有る。例えば、乗車中とか音楽などのコンサートに出席している場合には困ってしまう。
【０００９】
よって、本発明が解決しようとする第２の課題は、タッチペンが用いられる場合において、そのタッチペンが特定の装着状態である場合には、タッチパネルが間違って押されても、装置が動作しないようにした情報処理装置を提供することである。
【課題を解決するための手段】
【００１０】
前記第１の課題は、
タッチペン又は指でタッチパネルをタッチすることにより操作が行なわれる情報処理装置であって、
前記情報処理装置の装置本体には前記タッチペンのタッチペン装着部が設けられると共に、該タッチペンの装着・離脱を検出する検出手段が設けられてなり、
前記情報処理装置に処理動作を行わせる為に、前記タッチパネルの所望箇所を前記タッチペン又は指でタッチするに際して、該タッチパネルの所望箇所には入力用標識が表示されるよう構成されており、
前記検出手段によって前記タッチペン装着部に前記タッチペンが装着されていないことが検出される場合には前記表示される入力用標識は小さく、前記検出手段によって前記タッチペン装着部に前記タッチペンが装着されていることが検出される場合には前記表示される入力用標識は大きなように入力用標識の表示サイズを制御する表示サイズ制御手段を具備することを特徴とする情報処理装置によって解決される。
【００１１】
或いは、タッチパネルを具備した情報処理装置における情報処理方法において、
前記情報処理装置のタッチペン装着部に装着されているタッチペンが装着されているか否かを検出する検出工程と、
前記検出工程によって前記タッチペン装着部にタッチペンが装着されていることが検出された場合、前記タッチパネルに表示されている入力用標識のサイズを大に、前記検出工程によって前記タッチペン装着部にタッチペンが装着されていないことが検出された場合、前記タッチパネルに表示されている入力用標識のサイズを標準ないしは小に調整する入力用標識サイズ調整工程
とを具備することを特徴とする情報処理方法によって解決される。
【００１２】
又、前記第１及び第２の課題は、
タッチペン又は指でタッチパネルをタッチすることにより操作が行なわれる情報処理装置であって、
前記情報処理装置の装置本体には前記タッチペンのタッチペン装着部が設けられると共に、該タッチペンの装着・離脱を検出する検出手段が設けられてなり、
前記検出手段は、前記タッチペンの装着時における第１装着状態と第２装着状態とが区別して検出できるよう構成され、
更に、前記情報処理装置に処理動作を行わせる為に、前記タッチパネルの所望箇所を前記タッチペン又は指でタッチするに際して、該タッチパネルの所望箇所には入力用標識が表示されるよう構成されており、
前記検出手段によって前記タッチペン装着部に前記タッチペンが装着されていないことが検出される場合には前記表示される入力用標識は小さく、前記検出手段によって前記タッチペン装着部に前記タッチペンが第１装着状態で装着されていることが検出される場合には前記表示される入力用標識は大きなように入力用標識の表示サイズを制御する表示サイズ制御手段と、
前記検出手段によって前記タッチペン装着部に前記タッチペンが第２装着状態で装着されていることが検出される場合には前記表示される前記入力用標識がタッチされても前記情報処理装置が処理動作しないものとするロック手段
とを具備することを特徴とする情報処理装置によって解決される。
【００１３】
或いは、タッチパネルを具備した情報処理装置における情報処理方法において、
前記情報処理装置のタッチペン装着部に装着されているタッチペンが装着されているか否かを検出する検出工程と、
前記検出工程によって前記タッチペン装着部にタッチペンが装着されていることが検出された場合、前記タッチパネルに表示されている入力用標識のサイズを大に、前記検出工程によって前記タッチペン装着部にタッチペンが装着されていないことが検出された場合、前記タッチパネルに表示されている入力用標識のサイズを標準ないしは小に調整する入力用標識サイズ調整工程と、
前記検出工程によって前記タッチペン装着部にタッチペンが特定の状態にて装着されていることが検出された場合、前記タッチパネルがタッチされても、前記情報処理装置が処理動作しないものとするロック工程
とを具備することを特徴とする情報処理方法によって解決される。
【００１４】
又、前記第２の課題は、
タッチペン又は指でタッチパネルをタッチすることにより操作が行なわれる情報処理装置であって、
前記情報処理装置の装置本体には前記タッチペンのタッチペン装着部が設けられると共に、該タッチペンの装着・離脱を検出する検出手段が設けられてなり、
前記検出手段は、前記タッチペンの装着時における第１装着状態と第２装着状態とが区別して検出できるよう構成され、
更に、前記情報処理装置に処理動作を行わせる為に、前記タッチパネルの所望箇所を前記タッチペン又は指でタッチするに際して、該タッチパネルの所望箇所には入力用標識が表示されるよう構成されており、
前記検出手段によって前記タッチペン装着部に前記タッチペンが第２装着状態で装着されていることが検出される場合には前記表示される前記入力用標識がタッチされても前記情報処理装置が処理動作しないものとするロック手段を具備することを特徴とする情報処理装置によって解決される。
【００１５】
或いは、タッチパネルを具備した情報処理装置における情報処理方法において、
前記情報処理装置のタッチペン装着部に装着されているタッチペンが装着されているか否かを検出する検出工程と、
前記検出工程によって前記タッチペン装着部にタッチペンが特定の状態にて装着されていることが検出された場合、前記タッチパネルがタッチされても、前記情報処理装置が処理動作しないものとするロック工程
とを具備することを特徴とする情報処理方法によって解決される。
【００１６】
尚、上記情報処理装置において、検出手段としてはタッチペンに設けられた磁石を検出する磁気センサー（例えば、ホール素子とかMRセンサー）が用いられることが好ましい。すなわち、タッチペンの装着・離脱状況の検出は、例えば光センサーを用いることも出来るが、信頼性やコストの面を考慮すると、磁気センサーの採用が好ましい。そして、磁気センサーを複数個設けたならば、タッチペンの装着時における第１装着状態と第２装着状態とを区別して検出できる。
【発明の効果】
【００１７】
第１，２，６，７の発明によれば、タッチペンが抜かれている場合には、即ち、タッチペンを用いてのタッチの為にタッチペンが抜かれている場合には、タッチパネルに表示されているアイコン等の入力用標識が小さく、従ってタッチパネルに表示させるアイコン等の入力用標識の数に対する制約が少なくなり、タッチペンがタッチペン装着部に装着されている場合、即ち、タッチを指先で行なおうとする場合には、タッチパネルに表示されているアイコン等の入力用標識が大きく、従って操作に不都合が起き難く、非常に不便である。
【００１８】
第２，３，７，８の発明によれば、タッチペン装着部にタッチペンが第２装着状態で装着されていることが検出されると、タッチパネルが間違ってタッチされても装置が処理動作を始めないので、例えば混雑している電車において被服のポケットに入れられた情報処理装置のタッチパネルが押されても、情報処理装置が動作すると言ったことを避けることが出来る。
【発明を実施するための最良の形態】
【００１９】
本発明になる情報処理装置は、タッチペンや指でタッチパネルをタッチすることにより操作が行なわれる情報処理装置である。この情報処理装置の装置本体にはタッチペンが装着されるタッチペン装着部が設けられている。そして、このタッチペン装着部にタッチペンが装着（この時は、指タッチ入力）されているか、タッチペンが抜かれている（この時は、タッチペンを用いての入力）かを検出する検出手段が設けられている。この検出手段としては、タッチペン側の磁界（タッチペン側に設けられた磁石）を検出できるホール素子とかＭＲセンサー等の磁気センサーが用いられる。情報処理装置のタッチパネルには入力用標識が表示されるよう構成されている。すなわち、情報処理装置が処理動作を開始するに際して、情報処理装置のタッチパネルが押圧（タッチ）されるのであるが、その際にタッチパネルの何処の位置を押圧（タッチ）するかを指示する入力用標識が表示されるよう構成されている。つまり、入力用標識で表示された箇所のタッチパネルを押圧（タッチ）すると、その入力用標識に応じた処理を情報処理装置が開始するよう構成されている。そして、前記検出手段によって前記タッチペン装着部に前記タッチペンが装着されていないことが検出されると、前記タッチパネルに表示される前記入力用標識が小さく表示され、前記検出手段によって前記タッチペン装着部に前記タッチペンが装着されていることが検出されると、前記タッチパネルに表示される前記入力用標識が大きく表示されるよう前記入力用標識の表示サイズを制御する表示サイズ制御手段を備えている。前記検出手段は、場合によっては、タッチペンの装着時における装着状態が第１装着状態であるか第２装着状態であるかを区別して検出できるよう構成されている。例えば、タッチペンにマグネットを設けておき、タッチペン装着部に装着されたタッチペンのマグネットを、第１の磁気センサーが検出するか第２の磁気センサーが検出するかが判るようにしておけば、タッチペンの装着時における装着状態が第１装着状態であるか第２装着状態であるかを区別して検出できる。そして、このように構成させていた場合には、特に、検出手段によってタッチペン装着部にタッチペンが第２装着状態で装着されていることが検出されると、タッチパネルが間違ってタッチされても装置が処理動作を始めないものとするロック手段を具備させている。
【００２０】
本発明の情報処理方法は、タッチパネルを具備した情報処理装置における情報処理方法である。特に、上記した情報処理装置における情報処理方法である。そして、情報処理装置のタッチペン装着部に装着されているタッチペンが装着されているか否かを検出する検出工程を有する。又、前記検出工程によってタッチペン装着部にタッチペンが装着されていることが検出された場合、タッチパネルに表示されている入力用標識のサイズを大に、検出工程によってタッチペン装着部にタッチペンが装着されていないことが検出された場合、タッチパネルに表示されている入力用標識のサイズを標準ないしは小に調整する入力用標識サイズ調整工程を有する。及び／又は、前記検出工程によってタッチペン装着部にタッチペンが特定の状態にて装着されていることが検出された場合、タッチパネルがタッチされても、情報処理装置が処理動作しないものとするロック工程を有する。
【００２１】
以下、更に詳しく説明する。
図１〜図４は本発明（第１の発明および第２の発明）になる情報処理装置の第１実施形態を説明するもので、図１は情報処理装置の概略外観図、図２は図１におけるＩ−Ｉ線での概略断面図、図３はブロック図、図４は動作のフローチャートである。
【００２２】
各図中、１は、所謂、ストレート型（折畳み型やスライド型ではない）の情報処理装置（例えば、携帯電話機）である。この携帯電話機１は透明な抵抗膜式のタッチパネル２を有する。尚、このタッチパネル２は、タッチパネル２表面の所定の位置をタッチ（押圧）することで、携帯電話機１が所定の動作（演算・処理）を行なうように構成されており、このような構成は周知な内容であるから、詳細は省略される。
【００２３】
尚、本例の携帯電話機１には、図１に示される如く、キーボート３が設けられている。但し、キーボード３に相当の入力手段がタッチパネル２に表示されるよう構成されていても良く、このような場合には、図示したキーボード３が無くても差し支えない。
【００２４】
本発明において、タッチペン又は指によるタッチによって情報処理装置（例えば、携帯電話機）１が所定の処理動作を開始するようになる為の「入力用標識がタッチパネルに表示」とは、タッチパネル２自体が表示材で構成できておれば問題ないが、タッチパネル２が透明抵抗膜に過ぎない場合には、図２に示される如く、液晶ディスプレイ（ＬＣＤ）４がタッチパネル２の下層に設けられておれば、液晶ディスプレイ４に表示された入力用標識（例えば、メニューアイコン等のアイコン）が透明なタッチパネル２を通して眺めることが出来、本発明では、このような場合をも含めて「入力用標識（アイコン等）がタッチパネルに表示」と言っている。
【００２５】
５はタッチペンである。すなわち、タッチペン５でタッチパネル２表面を触れることで、携帯電話機１が所定の演算・処理（動作）を行なうようになる。このタッチペン５は携帯電話機１の筺体（ケース）１ａに対して取り付けられるようになっている。例えば、穴状部（或いは筒状部、又は断面略逆Ω形状部）と言ったタッチペン装着部６が携帯電話機１のケース１ａに構成されている。すなわち、タッチペン装着部６にタッチペン５を装着（装填）することにより、タッチペン５が携帯電話機１に保持されるようになっている。図１はタッチペン装着状態を示すものである。
【００２６】
タッチペン５には、例えば断面が長方形あるいは楕円形（断面が正方形や円形としていないので、タッチペン５の挿入方向を検出できる。）の永久磁石（マグネット）７が設けられ（内蔵され）ている。そして、タッチペン装着部６にタッチペン５が装着（装填）されている状態において、タッチペン５に設けられているマグネット７の位置に対応して携帯電話機１には磁気センサー（例えば、ホールセンサーやＭＲセンサー）８が設けられている。尚、ＭＲセンサーは、基本的に、Ｓ極、Ｎ極両方の磁力に反応するが、ホールセンサーには片方の磁極しか反応しないものや、ＭＲセンサーと同じく両磁極に反応するものがある。従って、目的に従って両方反応するもの、片側しか反応しないものを選択する必要がある。本実施形態では、両磁極に反応するタイプのセンサーを用いた。従って、タッチペン装着部６にタッチペン５が装填されている場合、磁気センサー８はタッチペン５のマグネット７の存在（磁界）を検出する。尚、図２において、タッチペンが１８０°回転した状態であっても、両磁極に反応する磁気センサーを用いたから、タッチペン５の位相（回転の位相）に寄らず、磁気センサー８はタッチペン５のマグネット７（磁界）を検出する。よって、この場合、タッチペン５が携帯電話機１に装填（装着）状況に在ると判断される。そして、タッチペン５でタッチパネル２をタッチすることは出来ず、この場合には、タッチパネル２は指（指先）タッチによって操作されると判断される。逆に、磁気センサー８がタッチペン５のマグネット７（磁界）を検出しない場合は、この場合は、タッチペン５が磁気センサー８から遠ざかっている、即ち、タッチペン５がタッチペン装着部６から抜き取られている（タッチペン５を使用する為に、タッチペン５がタッチペン装着部６から抜き取られている）と判断でき、タッチパネル２はタッチペン５によって操作できると判断される。
【００２７】
９は制御手段（ＣＰＵ）である。すなわち、磁気センサー８からの出力信号（マグネット検出信号）によって、ＣＰＵ（制御手段）９が動作し、ＣＰＵ９はタッチパネル２（ＬＣＤ４）に表示されるアイコン等の入力用標識の外形を大きなものとさせる。勿論、二つ以上のアイコンが表示される場合にあっては、互いの距離が出来るだけ離れているように表示させる。このようにアイコンを大きく、かつ、互いに離れて表示させた場合、タッチペン５のペン先に比べて相対的に大きな指先でタッチパネルに表示されているアイコンを操作するにしても、その作業が非常に楽なものになる。逆に、磁気センサー８からのマグネット検出信号をＣＰＵ９が受け取らない場合、この時は、タッチペン５がタッチペン装着部６から抜き取られていることを意味するから、即ち、タッチペン５を使用する為にタッチペン装着部６からタッチペン５が抜き取られていることを意味するから、タッチペン５によるタッチパネル２の操作が可能であり、従ってこの場合にはアイコン等の入力用標識の外形を標準形（前記拡大形より小さな縮小形）にさせる。つまり、アイコン等の入力用標識の外形を標準形（前記拡大形より小さな縮小形）としていても、ペン先が小さなタッチペン５での操作が可能であるから、格別な問題は無い。
【００２８】
１０はＣＰＵ９や磁気センサー８が搭載されているプリント基板、１１はＣＰＵ９等に対する磁力線の悪影響を防止する為のシールドケースである。尚、携帯電話機１のケース１ａは磁力線を遮断しない素材で構成されている。
【００２９】
次に、上記のように構成させた携帯電話機の動作について説明する。
図４に示される通り、ＣＰＵ９は、一定周期で磁気センサー８からの出力信号を受信（ステップ３００）している。すなわち、タッチペン５がタッチペン装着部６から抜かれたか否かの判断を行っている（ステップ３００，３０１）。
【００３０】
そして、磁気センサー８がマグネット７の磁力を検出していない旨の信号をＣＰＵ９が受信すると、ＣＰＵ９はタッチペン５がタッチペン装着部６から抜かれた（タッチパネル２の操作をタッチペン５を用いて行なう為、タッチペン５がタッチペン装着部６から抜かれた）と判断し、ＬＣＤ４に表示されるアイコン（入力用標識）の外形を相対的に小さく（或いは標準サイズに）表示（ペンタッチモードに遷移：ステップ３０２）させる。この場合には、アイコンが小さく表示されていても、タッチペン５のペン先は指先に比べたならば小さいことから、難なく、操作が出来る。しかも、この場合、アイコン（入力用標識）のサイズが小さいことから、ＬＣＤ４（タッチパネル２）に表示されるアイコンの表示数が多くても表示が可能になる。
【００３１】
これに対して、磁気センサー８がマグネット７の磁力を検出した旨の信号をＣＰＵ９が受信（ステップ３０４）すると、ＣＰＵ９はタッチペン５がタッチペン装着部６に装着されている（タッチペン５によるタッチパネル２の操作は不可能：タッチパネル２の操作は指先によるタッチで操作）と判断し、ＬＣＤ４に表示されるアイコン（入力用標識）の外形を大きく表示（指タッチモードに遷移：ステップ３０３）させる。従って、アイコンが大きく表示されているから、タッチペン５に比べて大きな指先での指タッチであっても、難なく、操作が出来る。
【００３２】
尚、指タッチモードとペンタッチモードとについて補足する。ペンタッチモードとは、ペンを使ってタッチパネルを動作させることを意味し、小さなアイコンで１画面に多くの情報量を持たせることで、操作を円滑に行うモードとする。例えば、画面いっぱいにフルキーボードに相当するアイコンを表示させ、それをタッチすることで文字入力（特に、電子メール入力やブラウジングの際のＵＲＬ入力など）を行う場合などが挙げられる。例えば、携帯電話機で使用されているようなサイズのＬＣＤにフルキーボードを表示させた場合、アイコンが小さいので指で押すことは困難である。逆に、指タッチモードでは指でも押せるような大きなアイコン表示にすることで、特に、大きな情報量を入力する必要が無い場合にペンを抜き取る手間を省いて短時間で操作が出来る。例えば、携帯電話機の場合、電話帳から電話を掛ける場合などが挙げられる。この場合、敢えて、ペンを抜き取る必要性が無いので動作短縮という面でメリットとなる。
【００３３】
図５及び図６は本発明（第２の発明および第３の発明）になる情報処理装置の第２実施形態を説明するもので、図５は情報処理装置の断面概略図、図６は動作のフローチャートである。
【００３４】
尚、本実施形態の情報処理装置は、検出手段によってタッチペン装着部にタッチペンが特定の装着状態で装着されていることが検出されると、タッチパネルがタッチされても装置が処理動作を始めないものとするロック手段を具備したものであることから、磁気センサーを複数個（２個）実装させたもので説明する。そして、図１〜図４で用いた符号と同一符号は同一構成であるので、詳細な説明は省略される。
【００３５】
すなわち、図５に示される通り、タッチペン装着部６に装着されたタッチペン５のマグネット７に対応して、携帯電話機１には磁気センサー８ａ，８ｂが設けられている。尚、この磁気センサー８ａ，８ｂは、基本的には、片方の磁極にしか反応しないものである。そして、この種の磁気センサーを用いることで、タッチペン５の挿入方向（挿入時の位相（回転角度））を検出（選択）できるようになる。例えば、図５に示される位相でタッチペン５がタッチペン装着部６に差し込まれている場合、磁気センサー８ａがマグネット７の存在を検出したとするならば、磁気センサー８ｂはマグネット７の存在を検出できないものとなっており、逆に、図５に示される位相から１８０°回転させた位相でタッチペン５がタッチペン装着部６に差し込まれている場合には、磁気センサー８ａではマグネット７の存在を検出できず、磁気センサー８ｂがマグネット７の存在を検出できるようになっている。従って、前記実施形態にあっては、二つのモードしか選択できなかったが、この場合には、三つのモードを選択することが出来る。例えば、前記実施形態で説明した「指タッチモード（例えば、磁気センサー８ａがマグネット７の存在を検出（磁気センサー８ｂはマグネット７の存在を検出せず））」や「ペンタッチモード（磁気センサー８ａ，８ｂの何れもがマグネット７の存在を検出せず）」の他に、「ロックモード（例えば、磁気センサー８ｂがマグネット７の存在を検出（磁気センサー８ａはマグネット７の存在を検出せず））」を追加することが出来る。
【００３６】
すなわち、ユーザが鞄やポケットの中でタッチパネル２を間違って押してしまうと、端末が誤動作する恐れが有る。これを回避する為、端末に操作をソフトウェア的にロックする為のスイッチを実装することが考えられるものの、タッチペン５の挿入時の角度（位相）が或る特定の場合には、即ち、或る特定の挿入状態が検出されれば、タッチパネル２がタッチされても動作しないように出来、極めて便利である。しかも、この場合、上記したスイッチを特別に設ける必要が無く、極めて簡単・低コストで実現できる。つまり、上記の如く、磁気センサー８ａ，８ｂを組み込むことで、上記した「指タッチモード」、「ペンタッチモード」、「ロックモード」の三モードの選択が可能となる。勿論、センサーの数を更に多くすることで、モード数を更に増加させることが出来る。
【００３７】
次に、上記のように構成させた携帯電話機の動作について説明する。
図６に示される通り、ＣＰＵ９は、一定周期で磁気センサー８からの出力信号を受信（ステップ５００）している。すなわち、タッチペン５がタッチペン装着部６から抜かれたか否かの判断を行っている（ステップ５００，５０１）。
【００３８】
そして、磁気センサー８ａ，８ｂが共にマグネット７の磁力を検出していない旨の信号をＣＰＵ９が受信すると、ＣＰＵ９はタッチペン５がタッチペン装着部６から抜かれた（タッチパネル２の操作をタッチペン５を用いて行なう為、タッチペン５がタッチペン装着部６から抜かれた）と判断し、ＬＣＤ４に表示されるアイコン（入力用標識）の外形を相対的に小さく（或いは標準サイズに）表示（ペンタッチモードに遷移：ステップ５０４）させる。
【００３９】
これに対して、磁気センサー８ａがマグネット７の磁力を検出した旨の信号をＣＰＵ９が受信（ステップ５０５）すると、ＣＰＵ９はタッチペン５がタッチペン装着部６に装着されている（タッチペン５によるタッチパネル２の操作は不可能：タッチパネル２の操作は指先によるタッチで操作）と判断し、ＬＣＤ４に表示されるアイコン（入力用標識）の外形を大きく表示（指タッチモードに遷移：ステップ５０６）させる。従って、アイコンが大きく表示されているから、タッチペン５に比べて大きな指先での指タッチであっても、難なく、操作が出来る。
【００４０】
又、磁気センサー８ｂがマグネット７の磁力を検出した旨の信号をＣＰＵ９が受信（ステップ５０２）すると、この場合はタッチパネル２がタッチされても動作しないものとする場合であると判断し、ロックモードに遷移（ステップ５０３）させる。従って、この場合には、間違ってタッチパネル２が押されても、携帯電話機１が誤作動することは無い。尚、ロックモード解除は、図６のフローチャートから判る通り、タッチペン５が一度抜き取られることで実行される。或いは、タッチペン５の挿入時の位相を変更することでも実行される。
【００４１】
尚、磁気センサーの中には、一つの磁気センサーで両方向の磁界を区別して検出できるタイプのものも有り、この種の磁気センサーを用いた場合には一つの磁気センサーでも三モードタイプのものを実現できる。
【図面の簡単な説明】
【００４２】
【図１】本発明の第１実施形態の情報処理装置の概略外観図
【図２】本発明の第１実施形態の情報処理装置の概略断面図
【図３】本発明の第１実施形態の情報処理装置のブロック図
【図４】本発明の第１実施形態の情報処理装置の動作のフローチャート
【図５】本発明の第２実施形態の情報処理装置の概略断面図
【図６】本発明の第２実施形態の情報処理装置の動作のフローチャート
【符号の説明】
【００４３】
１                情報処理装置（携帯電話機）
１ａ              筺体（ケース）
２                タッチパネル
４                ＬＣＤ
５                タッチペン
６                タッチペン装着部
７                マグネット
８，８ａ，８ｂ    磁気センサー
９                ＣＰＵ
１０              プリント基板
１１              シールドケース
特許出願人  日本電気株式会社
代  理  人  宇  高    克  己
【図１】
2008181169.tif 000003
【図２】
2008181169.tif 000004
【図３】
2008181169.tif 000005
【図４】
2008181169.tif 000006
【図５】
2008181169.tif 000007
【図６】
2008181169.tif 000008